(57)【要約】【課題】  信号送信部から送信されたＣＲＶ（符号則違反）信号の発生原因を判別し、かつ、前記ＣＲＶ（符号則違反）信号が付加された送信信号の健全性を判断することのできる光伝送装置を提供する。【解決手段】  子局装置に具備されて、入力される送信信号に対してＣＲＣ演算を行い、この演算結果を送信信号に乗せて親局装置へ送信する送信信号の生成手段、および、ＣＲＶ（符号則違反）信号を前記送信信号の先頭位置に付加する手段と、前記送信信号とＣＲＶ（符号則違反）信号からＣＭＩ符号を生成する手段を備えた信号送信部と、前記親局装置に具備されて、受信したＣＭＩ符号から前記送信信号を復号する手段と、復号した前記送信信号に対してＣＲＣチェックを行い、このチェック結果に応じて前記送信信号とＣＲＶ（符号則違反）信号の健全性を判断する手段を備えた信号受信部によって光伝送装置を構成した。【選択図】        図１
2005340870.tif 000002
【特許請求の範囲】
【請求項１】
親局装置と子局装置間で光データ通信を行う光伝送システムにおいて、前記子局装置に具備されて、入力される送信信号に対してＣＲＣ演算を行い、この演算結果を前記送信信号に乗せて前記親局装置へ送信する送信信号を生成する手段と、ＣＲＶ（符号則違反）信号を前記送信信号の先頭位置に付加する手段と、前記送信信号とＣＲＶ（符号則違反）信号からＣＭＩ符号変換則にしたがってＣＭＩ符号を生成する手段を備えた信号送信部と、前記親局装置に具備されて、受信したＣＭＩ符号から前記送信信号を復号する手段と、復号した前記送信信号に対してＣＲＣチェックを行い、チェック結果に応じて前記送信信号の健全性を判断する手段を備えた信号受信部によって構成したことを特徴とする光伝送装置。
【請求項２】
前記ＣＲＶ（符号則違反）信号は、前記信号送信部側の警報情報を示す信号であることを特徴とする請求項１記載の光伝送装置。
【請求項３】
前記信号受信部は、前記送信信号の健全性をＣＲＣチェック結果として出力する比較手段を備え、該比較手段は、前記信号受信部において復号されたｎ番目の送信信号を示すデータ多項式に対する生成多項式の演算結果である剰余を、次に受信するｎ＋１番目の送信信号に乗せて送信されるｎ番目の前記送信信号を示すデータ多項式に対する生成多項式の演算結果である剰余と比較することにより、当該比較結果が同一である場合は、ｎ番目の前記送信信号の健全性を保証し、前記比較結果が同一でなければ、ｎ番目の前記送信信号の健全性を否定するＣＲＣチェック結果を出力するように構成したことを特徴とする請求項１，２記載の光伝送装置。
【請求項４】
前記信号受信部は、ＣＲＶ（符号則違反）信号の健全性を判断する手段を具備し、当該手段は、ｎ番目の前記送信信号の健全性が保証された場合、前記ＣＲＶ（符号則違反）信号が前記信号送信部において故意に付加されたものであると判断し、また、ｎ番目の前記送信信号の健全性が否定された場合は、前記ＣＲＶ（符号則違反）信号が伝送路上の符号誤りによって付加されたものであると原則的に判断することを特徴とする請求項１ないし３記載の光伝送装置。
【請求項５】
前記信号受信部は、警報出力手段を具備し、ｎ番目の前記送信信号の健全性が保証され、かつ、復号したＣＲＶ（符号則違反）信号が前記送信信号の先頭位置で発生する場合のみ、これを前記警報出力手段に送信して、前記信号送信部側の警報情報を報知するように構成したことを特徴とする請求項３，４記載の光伝送装置。
【発明の詳細な説明】
【技術分野】
【０００１】
本発明は、ＣＭＩ符号を用いた光デジタル通信において、前記ＣＭＩ符号に付加した符号則違反の発生原因に応じて取得データの要否を判断することのできる光伝送装置の改良に関するものである。
【背景技術】
【０００２】
従来から、光ファイバケーブルを信号の伝送路として利用し、光送信部と光受信部間で光信号の送受信を行う光通信システムは良く知られている（特許文献１参照）。
【特許文献１】特開平７−１５４３２８号公報
【０００３】
前記［特許文献１］記載のシステム（光通信システムの遠隔監視装置）は、光送信部と光受信部を光ファイバケーブルによって接続し、前記光送信部の光出力パワーを送出する半導体レーザー素子の前記光出力パワーの送出レベルを決定するバイアス電流値を前記光送信部から前記光受信部にデータとともに伝送する。
【０００４】
一方、前記光受信部では、光ファイバケーブルを介して受信した前記バイアス電流値にもとづいて、前記光送信部の送出する光出力パワーの送出レベルを遠隔監視することができる。
【０００５】
このとき、前記光送信部から光受信部に伝送されるデータの送信はＣＭＩ（Coded Mark Inversion）符号によって行われ、かつ、前記バイアス電流値は前記ＣＭＩ符号に施すＣＲＶ（Code Rule Violence;符号則違反）符号化によって、前記データに対する副情報として送出される。
【０００６】
したがって、前記光受信部は、光ファイバケーブルを介して受信した光信号を電気信号（ＣＭＩ符号）に変換した後、ＣＲＶを施されたＣＭＩ符号から副情報としてのバイアス電流値を表現するＣＲＶ情報をＣＲＶの逆処理によって検出し、このＣＲＶ情報を復号化することによって、表示回路に前記バイアス電流値を表示させることができる。
【発明の開示】
【発明が解決しようとする課題】
【０００７】
然るに、前記［特許文献１］記載のシステムにおいては、図２に示すように、バイアス電流値を伝送するデータフォーマットは、同期ビットＦごとに８ビット構成のバイアス電流情報データＤ１〜Ｄ７およびＤ８のいずれかが伝送される構成であるので、ＣＲＶが伝送路上の符号誤りによって生じた場合、これがバイアス電流情報データであるのか伝送路上の符号誤りによるものかを区別することはできず、前記表示回路にてバイアス電流値を誤って表示してしまう可能性があった。
【０００８】
そこで、本発明は、前記問題点を解消するために、光送信部から光ファイバ等の伝送媒体を介して光受信部に送信される光信号が正常に送信されたか否かを判定し、前記光信号が正常に送信された場合は、光信号に付加したＣＲＶ信号が故意に付加されたものであることを確認して警報信号として利用可能とし、また、前記光信号が正常に送信されなかった場合は、信号の伝送途中で符号誤りが生じたものと認識して、前記光信号に付加されたＣＲＶ信号を警報信号として利用することを阻止するように構成した。
【課題を解決するための手段】
【０００９】
第１の局面によれば、親局装置と子局装置間で光データ通信を行う光伝送システムにおいて、前記子局装置に具備されて、入力される送信信号に対してＣＲＣ演算を行い、この演算結果を前記送信信号に乗せて前記親局装置へ送信する送信信号を生成する手段と、ＣＲＶ信号を前記送信信号の先頭に付加する手段と、前記送信信号とＣＲＶ信号からＣＭＩ符号変換則にしたがってＣＭＩ符号を生成する手段を備えた信号送信部と、前記親局装置に具備されて、受信したＣＭＩ符号から前記送信信号を復号する手段と、復号した前記送信信号に対してＣＲＣチェックを行い、チェック結果に応じて前記送信信号の健全性を判断する手段を備えた信号受信部から光伝送装置を構成した。
【００１０】
第２の局面によれば、第１の局面において、前記信号送信部側の警報情報を示す信号として前記ＣＲＶ信号を利用して構成した。
【００１１】
第３の局面によれば、第１，２の局面において、前記信号受信部は、前記送信信号の健全性をＣＲＣチェック結果として出力する比較手段を備え、該比較手段は、前記信号受信部において復号されたｎ番目の送信信号を示すデータ多項式に対する生成多項式の演算結果の剰余を、次に受信するｎ＋１番目の送信信号に乗せて送信される前記ｎ番目の送信信号を示すデータ多項式に対する生成多項式の演算結果である剰余と比較することにより、当該比較結果が同一である場合は、ｎ番目の前記送信信号の健全性を保証し、前記比較結果が同一でなければ、ｎ番目の前記送信信号の健全性を否定するＣＲＣチェック結果を出力するように構成した。
【００１２】
第４の局面によれば、第１ないし３の局面において、前記信号受信部は、ＣＲＶ信号の健全性を判断する手段を具備し、当該手段は、ｎ番目の前記送信信号の健全性が保証された場合、前記ＣＲＶ信号が前記信号送信部において故意に付加されたものであると判断し、また、ｎ番目の前記送信信号の健全性が否定された場合は、前記ＣＲＶ信号が伝送路上の符号誤りによって付加されたものであると判断するように構成した。
【００１３】
第５の局面によれば、第３，４の局面において、前記信号受信部は、警報出力手段を備え、ｎ番目の前記送信信号の健全性が保証され、かつ、復号したＣＲＶ信号が前記送信信号の先頭位置で発生する場合のみ、これを前記警報出力手段に送信して、前記信号送信部側の警報情報を報知するように構成した。
【発明の効果】
【００１４】
請求項１記載の発明によれば、信号送信部においてＣＲＣ演算結果を乗せた送信信号をＣＭＩ符号変換則にしたがったＣＭＩ符号として送信し、信号受信部では、前記送信信号に乗せて伝送されたＣＲＣ演算結果に基づいて送信信号のＣＲＣチェックを実行することによって、信号送信部から送信された前記送信信号の健全性を信号受信部で確実に判定することができ、非常に有効である。
【００１５】
請求項２記載の発明によれば、信号送信部に電源故障等、種々の警報情報が入力された場合は、これをＣＲＶ（符号則違反）信号として送信信号の先頭に付加して信号受信部に送信することができるので、信号受信部側において、信号送信部側の不具合を警報等により確実に把握することができ、利便である。
【００１６】
請求項３記載の発明によれば、信号受信部において送信信号の健全性をＣＲＣチェック結果として確認することにより、送信信号が不定となる光信号の受信開始直後の一定時間と、光信号受信後、受信断を検出するまでの一定時間の不定領域における送信信号の健全性を確認することができる。
【００１７】
請求項４記載の発明によれば、信号受信部で実行するｎ番目のＣＲＣ演算結果と、信号送信部側で実行してｎ＋１番目の送信信号に付加されるｎ番目のＣＲＣ演算結果を比較した結果から、符号則違反の発生原因を判定することができ、利便である。
【００１８】
請求項５記載の発明によれば、ＣＲＣチェック結果から送信信号の健全性が保証された場合であっても、前記ＣＲＶ（符号則違反）信号の発生位置が送信信号の先頭位置でない場合は、ＣＲＶ（符号則違反）信号の健全性を疑い、警報による報知動作の実行を行わないことによって、データ活用の精度の向上を図ることが可能となる。
【実施例】
【００１９】
以下、本発明の実施の形態を図１により説明する。図１は、本発明の光伝送装置Ａのブロック図を示しており、図１において、１０１は例えば、伝送路上の子局装置（図示せず）に具備されて、子局装置側の情報信号を伝送路上に送信する信号送信部であり、１０２は前記子局装置との間で信号の授受を行う親局装置（図示せず）に具備されて、前記信号送信部１０１が送信した信号を受信する信号受信部を示している。
【００２０】
１０３は前記信号送信部１０１に具備されて、入力されたＮＲＺ（Non-Return-to-Zero；非ゼロ復帰）符号の送信データ用のチャンネルと、後述するＣＲＣ演算結果を乗せるＣＲＣビット用のチャンネルと、フレーム同期ビット用のチャンネル等からなるフレームを生成するフレーム生成回路であり、１０４は前記フレーム生成回路１０３で生成されたフレームに対してＣＲＣ演算を行い、その結果を前記フレーム内のＣＲＣビット用のチャンネルに乗せるＣＲＣ演算回路である。
【００２１】
１０５は、所定の警報信号を入力して、後段のＣＲＶ信号発生回路１０６に出力する警報入力回路であり、１０７は、前記ＣＲＣ演算結果を乗せたフレームである前記ＮＲＺ符号をＣＭＩ符号に変換し、かつ、前記ＣＲＶ信号発生回路１０６が出力するＣＲＶ信号を前記フレームの先頭位置に付加するＣＭＩエンコーダーである。
【００２２】
１０８は前記ＣＭＩエンコーダー１０７によってＣＭＩ符号に変換された電気信号を光信号に変換する電気／光変換器を示しており、該電気／光変換器１０８は、前記ＣＭＩエンコーダー１０７とともに送信用の光モジュール１０９を構成している。つまり、前記信号送信部１０１は、フレーム生成回路１０３、ＣＲＣ演算回路１０４、警報入力回路１０５、ＣＲＶ信号発生回路１０６と、ＣＭＩエンコーダー１０７および電気／光変換器１０８からなる送信用光モジュール１０９を備えて構成されている。
【００２３】
次に、前記信号受信部１０２の構成について説明する。図１において、１１０は前記信号送信部１０１の電気／光変換器１０８から光ファイバ等の伝送路１１１を介して送信される光信号を受信して電気信号に変換する光／電気変換器である。１１２は光／電気変換器１１０が出力するＣＭＩ符号をＮＲＺ符号に変換するとともに、ＣＲＶを検出し、ＣＲＶ信号として出力するＣＭＩデコーダーを示しており、当該ＣＭＩデコーダー１１２は前記光／電気変換器１１０とともに受信用光モジュール１１３を構成している。
【００２４】
１１４は前記受信用光モジュール１１３によって復号されたＮＲＺ符号に対してＣＲＣ演算と所要の比較動作を行うＣＲＣ演算／比較回路であり、１１５は前記光モジュール１１３によって復号されるＣＲＶ信号を一定時間遅延させるＣＲＶ信号遅延回路を示している。１１６はＣＲＣ演算／比較回路１１４の出力内容に応じて、ＣＲＶ信号遅延回路１１５から一定時間遅延されて出力されたＣＲＶ信号を警報出力回路１１７に送信するか否かを判定するＣＲＶ信号判定回路である。
【００２５】
前記警報出力回路１１７は、ＣＲＶ信号判定回路１１６からＣＲＶ信号を受信したとき例えば、表示ランプを点灯させたり警報を鳴らす等、種々の報知動作を実行するように構成されている。
【００２６】
つづいて、前記光伝送装置Ａの動作について説明する。前記フレーム生成回路１０３でＮＲＺ符号の送信データ用のチャンネルとＣＲＣ演算結果を乗せるＣＲＣビット用のチャンネルおよびフレーム同期ビット用のチャンネル等からなるフレーム（ｎ番目のフレームという）が生成されると、ＣＲＣ演算回路１０４は、このフレームを示すデータ多項式に対する所定の生成多項式による演算結果としての剰余を算出して、これを当該フレームと同構成の次のフレーム（ｎ＋１番目のフレームという）のＣＲＣビット用のチャンネルに乗せて送信用の光モジュール１０９に出力する。
【００２７】
一方、警報入力回路１０５は、例えば、信号送信部１０１が具備する子局装置の電源が故障したことを検出して、これを警報信号としてＣＲＶ信号発生回路１０６に出力する（なお、電源故障時、子局装置（図示せず）は補助バッテリ等により電源供給されているものとする）。
【００２８】
前記送信用光モジュール１０９は、ＣＲＣ演算回路１０４を介してＣＲＣ演算結果が付加されたフレームであるＮＲＺ符号をＣＭＩエンコーダー１０７によって下記［表１］に示すＣＭＩ符号変換則にしたがって変換する。また、ＣＲＶ信号発生回路１０６は、前記警報入力回路１０５が出力する警報信号を入力することでＣＲＶ信号を発生し、これを前記ＣＭＩ符号に対して付加する。
【００２９】
【表１】
2005340870.tif 000003
【００３０】
つまり、ＮＲＺ符号の“Ｌ”は、ＣＲＶ信号の“Ｈ”，“Ｌ”に関わらず、“０１”のＣＭＩ符号に変換され、ＮＲＺ符号の“Ｈ”に対してＣＲＶ信号が“Ｌ”の場合は、“００”と“１１”が交互に出力される。また、ＮＲＺ符号の“Ｈ”に対してＣＲＶ信号が“Ｈ”の場合は、直前のＮＲＺ符号が“Ｈ”のときのＣＭＩ信号と同じデータが出力される。このようなＣＭＩ符号に変換された電気信号は、電気／光変換器１０８によって光信号に変換されて光ファイバ等の伝送路１１１上に出力される。
【００３１】
そして、前記伝送路１１１を介して伝送される光信号は、信号受信部１０２の受信用光モジュール１１３の光／電気変換器１１０において光信号から電気信号に変換されてＣＭＩデコーダー１１２に入力される。ＣＭＩデコーダー１１２では、［表２］に示すＣＭＩ符号変換則にしたがってＮＲＺ符号に変換する。
【００３２】
【表２】
2005340870.tif 000004
【００３３】
つまり、ＣＭＩ符号が“００”若しくは“１１”の場合は、ＣＲＶが検出されるか否かに関わらず“Ｈ”のＮＲＺ符号に、また、ＣＭＩ符号が“０１”で、ＣＲＶが検出されない場合と、ＣＭＩ符号が“１０”で、ＣＲＶが検出された場合は、ともに“Ｌ”のＮＲＺ符号に変換される。なお、ＣＲＶ信号はＣＲＶが検出された場合は“Ｈ”を、検出されない場合は“Ｌ”をＮＲＺ符号で出力する。
【００３４】
このように変換されたＮＲＺ符号は、ＣＲＣ演算／比較回路１１４に入力されて、ｎ番目のフレームにおけるＮＲＺ符号を示すデータ多項式に対する前記生成多項式による演算結果である剰余が計算され、かつ、ＣＲＣ演算回路１０４で計算された演算結果としてｎ＋１番目のフレームに乗せられた剰余との比較が行われる。
【００３５】
そして、前記ＣＲＣ演算回路１０４の演算結果とＣＲＣ演算／比較回路１１２の演算結果を比較した結果（同一であるか否か）をＣＲＶ信号判定回路１１６に送出するのである。子局装置（図示せず）の電源故障により、前記ＣＲＶ信号が故意にｎ番目のフレームの先頭位置に付加された場合、ＣＲＣ演算／比較回路１１４での比較結果は同一となって、ｎ番目のフレームにおけるＮＲＺ符号の健全性を保証することができる。一方、前記ＣＲＶ信号が伝送路１１１上の符号誤りによって生じたものである場合、ＣＲＣ演算／比較回路１１４の比較結果は同一とはならず、ｎ番目のフレームにおけるＮＲＺ符号の健全性は保証されない。
【００３６】
一方、受信用光モジュール１１３は、ＣＭＩデコーダー１１２で復号したＣＲＶ信号をＣＲＶ信号遅延回路１１５に出力するが、ＣＲＶ信号遅延回路１１５は、フレームの先頭位置におけるＣＲＶ信号の有無に関わらず、常に前記先頭位置におけるＣＲＶ信号のビットを監視し、これを１フレーム分遅延させた後、前記ＣＲＶ信号判定回路１１６に出力する。
【００３７】
つまり、前記ＣＲＶ信号がフレームの先頭位置以外の位置に発生している場合は、信号送信部１０１を含む送信側に何らかの故障等によって、本来フレームの先頭位置に付加すべきＣＲＶ信号が、前記先頭位置以外の位置に付加された可能性を否定できないため、送信されたＣＲＶ信号の健全性を疑ってＣＲＶ信号判定回路１１６への送信を行わないように動作するのである。
【００３８】
前記ＣＲＶ信号判定回路１１６は、ＣＲＣ演算／比較回路１１４から出力される結果がｎ番目のフレームの健全性を保証するものである場合は、ＣＲＶ信号遅延回路１１５から出力されるＣＲＶ信号を警報出力回路１１７に送出して、ランプを点灯させたり警報により報知することによって、子局装置（図示せず）に電源故障が発生していることを知らせることができる。
【００３９】
また、ＣＲＣ演算／比較回路１１４の出力結果がｎ番目のフレームの健全性を保証するものでない場合は、ＣＲＶ信号判定回路１１６はＣＲＶ信号が伝送路１１１上の符号誤りに起因して生じたものであると判定して、前記ＣＲＶ信号が警報出力回路１１７に送出されることを防止するように動作する。
【００４０】
すなわち、信号送信部１０１において電源故障がＣＲＶ信号として故意にフレームの先頭位置に付加された場合、ＣＭＩエンコーダー１０７でＣＭＩ符号変換則にしたがって変換されたＣＭＩ符号は２ビット誤りを生じるため、光ファイバ等の伝送路１１１を介して信号受信部１０２に送信されて、ＣＭＩデコーダー１１２によって復号されたＮＲＺ符号はその健全性を維持したまま受信される。
【００４１】
したがって、復号したＮＲＺ符号は信号送信部１０１側の種々の情報を正確に示す信号として利用可能となるとともに、受信したＣＲＶ信号も子局装置（図示せず）の電源故障を適確に表示するものと確認することができる。
【００４２】
一方、前記ＣＲＶ信号が伝送路１１１上の符号誤りに起因して生じたものである場合、伝送路１１１上で２ビット連続してＣＭＩ符号を誤るような伝送品質はほとんど発生しないので、ＣＭＩデコーター１１２で復号されたＮＲＺ符号は、その健全性を保証されるものではなくなる。
【００４３】
したがって、例え、ＣＲＶ信号が故意にフレームの先頭位置に付加された場合であっても、１フレーム中の先頭位置以外の他のビットで符号誤りが起こった場合は、ＣＲＶ信号の健全性を疑い、ＣＲＶ信号判定回路１１６はＣＲＶ信号遅延回路１１５から送出されるＣＲＶ信号を警報出力回路１１７に送出することはない。
【００４４】
なお、ＣＲＶ信号がフレームの先頭位置以外で検出された場合において、ＣＲＣ演算回路１１４の出力結果がｎ番目のＮＲＺ符号の健全性を保証するものである場合は、信号送信部１０１側に何らかの故障が発生している可能性が否めないので、ＣＲＶ信号遅延回路１１５は、フレームの先頭位置以外で発生したＣＲＶ信号の検出を行わないことは前述した通りである。
【００４５】
また、信号受信部１０２が光信号の受信開始直後の一定時間と、光信号受信後、受信断を検出するまでの一定時間内における復号されたＮＲＺ符号は不定状態となるので、前述した場合と同様に前記ＮＲＺ符号の健全性は保証されず、この結果、前記ＣＲＶ信号判定回路１１６はＣＲＶ信号遅延回路１１５が出力するＣＲＶ信号を警報出力回路１１７に送出することはない。
【００４６】
以上説明したように、本発明の光伝送装置Ａは、信号送信部１０１におけるＣＲＣ演算結果と信号受信部におけるＣＲＣ演算結果の比較によって、信号送信部１０１から信号受信部１０２に送信された信号の健全性を確実に判定することができ、健全性の保証されない信号が誤って利用されることを確実に防止できる。
【００４７】
また、前記送信信号の健全性の確認を行うことにより、ＣＲＶ信号が信号送信部１０１で故意に付加されたものであるか、伝送路１１１上の符号誤りによって生じたものであるかを判定することができ、信号送信部１０１にて故意に付加されたものである場合に限って、警報出力回路１１７によって所定のランプや警報による報知を可能とし、子局装置（図示せず）の電源故障を精度良く知らせることができる。
【００４８】
さらに、前記ＣＲＶ信号がフレームの先頭位置以外で発生している場合は、例え、送信信号の健全性が保証される結果となった場合でも、信号送信部１０１側に何らかの故障が発生した可能性を疑い、前記ＣＲＶ信号の検出を行うことはない。
【００４９】
なお、前述した本発明の実施例において、図１に示す信号受信部１０２には、信号送信部１０１との間で同期を検出するための回路が作図便宜上省略されているが、ＣＲＣ演算／比較回路１１４のＣＲＣ演算は、前記信号送信部１０１と信号受信部１０２間の同期が確立された後に行われるものとする。
【００５０】
また、前記信号送信部１０１と信号受信部１０２は、［表１］，［表２］に示す変換則に従って符号則変換を行う光モジュールを具備して構成した場合を例示したが、本発明の光伝送装置Ａは、当該構成に限定されることなく、種々の変換則を有する公知の光モジュールを利用して構成してもよいことは当然である。
【産業上の利用可能性】
【００５１】
本発明によれば、信号送信部から光ファイバ等の伝送路を介して信号受信部に送信されたｎ番目の送信信号のＣＲＣ演算結果と、前記信号送信部でＣＲＣ演算されて、ｎ＋１番目の送信信号に乗せられて送信されるｎ番目の送信信号のＣＲＣ演算結果を比較（ＣＲＣチェック）することにより、ｎ番目の送信信号の健全性を確認することができる。このとき、信号送信部における電源故障等を示すＣＲＶ信号が前記送信信号の先頭に故意に付加された場合、前記チェック結果が同一であることから、送信信号の健全性を確認することができ、また、前記ＣＲＶ信号が伝送路上の符号誤りによって生じた場合は、前記チェック結果の不一致より送信信号の健全性は否定される。したがって、前記ＣＲＶ信号を受信した信号受信部は、前記ＣＲＣチェックに基づき、伝送路上の符号誤りに惑わされることなく、子局装置の電源故障等を検出することができ、所要の警報により前記電源故障等を報知することができる。
【図面の簡単な説明】
【００５２】
【図１】本発明の光伝送装置の構成を示すブロック図である。
【図２】従来のデータフォーマットの一例を示す図である。
【符号の説明】
【００５３】
１０１  信号送信部
１０２  信号受信部
１０３  フレーム生成回路
１０４  ＣＲＣ演算回路
１０５  警報入力回路
１０６  ＣＲＶ信号発生回路
１０７  ＣＭＩエンコーダー
１０８  電気／光変換器
１０９  送信用光モジュール
１１０  光／電気変換器
１１１  伝送路
１１２  ＣＭＩデコーダー
１１３  受信用光モジュール
１１４  ＣＲＣ演算／比較回路
１１５  ＣＲＶ信号遅延回路
１１６  ＣＲＶ信号判定回路
１１７  警報出力回路
Ａ  光伝送装置
【図１】
2005340870.tif 000005
【図２】
2005340870.tif 000006